【手続補正書】
【提出日】令和2年9月25日(2020.9.25)
【手続補正１】
【補正対象書類名】特許請求の範囲
【補正対象項目名】全文
【補正方法】変更
【補正の内容】
【特許請求の範囲】
【請求項１】
ＭＲＩシステムにおける使用のためのデータ獲得システムであって、前記データ獲得システムが、
前記ＭＲＩシステムの少なくとも第１のＲＦコイルにより検出されたＲＦ信号を受信する第１のＲＦ受信器であって、前記ＲＦ信号が、像データを表すアナログ信号である、第１のＲＦ受信器と、
受信された前記ＲＦ信号の第１の組を第１のデジタルＭＲ信号の組に変換し、前記第１のデジタルＭＲ信号の組を出力する第１のアナログ・デジタル変換器と、
第１のプロセッサであって、前記ＭＲＩシステムのコンピュータに前記第１のデジタルＭＲ信号の組の正確さを確認するための冗長性を提供するために、第１の通信リンクを介した前記第１のデジタルＭＲ信号の組の送信中における通信リンクエラーの発生が、前記第１のデジタルＭＲ信号の組を使用して再現される再現されたＭＲＩ像に、それぞれ、より大きな影響を与えるか、又は、より少ない影響を与えるかに関する前記第１のプロセッサによる判定に基づいて、より高い、より高ロバストなレベルの符号化を使用して、又は、より低い、より低ロバストなレベルの符号化を使用して、前記第１のデジタルＭＲ信号の組を符号化する符号化アルゴリズムを実施する第１のプロセッサと、
符号化された前記第１のデジタルＭＲ信号の組を、前記第１の通信リンクを介して、前記第１のデジタルＭＲ信号の組から前記ＭＲＩ像を再現するために、前記ＭＲＩシステムの前記コンピュータに送信する第１の送信器と、
を備える、データ獲得システム。
【請求項２】
前記第１のプロセッサが、
前記第１のデジタルＭＲ信号の組に関係した少なくとも第１の信号特性を特定するために前記第１のデジタルＭＲ信号の組を分析することと、
前記第１の信号特性が第１の所定の閾値以上である場合、前記第１のデジタルＭＲ信号の組を符号化するために使用される、前記より高い、より高ロバストなレベルの符号化を選択することと、前記第１の信号特性が前記第１の所定の閾値未満である場合、前記第１のデジタルＭＲ信号の組を符号化するために使用される、前記より低い、より低ロバストなレベルの符号化を選択することと、
により前記符号化アルゴリズムを実施する、
請求項１に記載のデータ獲得システム。
【請求項３】
前記少なくとも第１の信号特性が、前記第１のデジタルＭＲ信号の組に関係した信号振幅である、
請求項２に記載のデータ獲得システム。
【請求項４】
前記少なくとも第１の信号特性が、前記第１のデジタルＭＲ信号の組に関係した信号対ノイズ比である、
請求項２に記載のデータ獲得システム。
【請求項５】
前記第１のデジタルＭＲ信号の組を前記分析することの前に、前記第１のプロセッサが、前記第１のデジタルＭＲ信号の組に変換を実施して、前記第１のデジタルＭＲ信号の組のまばらさを高め、前記第１のデジタルＭＲ信号の組を前記分析することが、変換された前記第１のデジタルＭＲ信号の組を分析して、前記信号対ノイズ比が前記第１の所定の閾値より大きいか、前記第１の所定の閾値に等しいか、又は、前記第１の所定の閾値未満であるかを判定することにより実施される、
請求項４に記載のデータ獲得システム。
【請求項６】
前記第１のデジタルＭＲ信号の組を前記分析することの前に、前記第１のプロセッサが、変換であって、前記変換中に前記第１のデジタルＭＲ信号の組が時間領域表現から周波数領域表現に変換される、変換を実施し、前記第１のデジタルＭＲ信号の組の前記分析が、前記周波数領域表現を分析して、前記信号対ノイズ比が前記第１の所定の閾値より大きいか、前記第１の所定の閾値に等しいか、又は、前記第１の所定の閾値未満であるかを判定することにより実施される、
請求項４に記載のデータ獲得システム。
【請求項７】
前記第１のデジタルＭＲ信号の組を前記分析することの前に、前記第１のプロセッサが、変換であって、前記変換中に前記第１のデジタルＭＲ信号の組が時間領域表現からｋ空間における空間周波数領域表現に変換される、変換を実施し、前記第１のデジタルＭＲ信号の組の前記分析が、ｋ空間における前記空間周波数領域表現を分析して、前記信号対ノイズ比が前記第１の所定の閾値より大きいか、前記第１の所定の閾値に等しいか、又は、前記第１の所定の閾値未満であるかを判定することにより実施される、
請求項４に記載のデータ獲得システム。
【請求項８】
前記第１のＲＦ受信器が、前記ＭＲＩシステムの少なくとも第２のＲＦコイルにより検出されたＲＦ信号を受信し、前記第２のＲＦコイルにより検出された前記ＲＦ信号が、像データを表すアナログ信号であり、前記第１のアナログ・デジタル変換器が、前記第２のＲＦコイルにより検出された前記ＲＦ信号を第２のデジタルＭＲ信号の組に変換して、前記第２のデジタルＭＲ信号の組を出力し、前記第１のプロセッサが、
前記第２のデジタルＭＲ信号の組を分析して、前記第２のデジタルＭＲ信号の組に関係した第２の信号対ノイズ比を特定することと、
前記第２の信号対ノイズ比が前記第１の所定の閾値以上である場合、前記第２のデジタルＭＲ信号の組を符号化するために使用される、前記より高い、より高ロバストなレベルの符号化を選択することと、前記第２の信号対ノイズ比が前記第１の所定の閾値未満である場合、前記第２のデジタルＭＲ信号の組を符号化するために使用される、前記より低い、より低ロバストなレベルの符号化を選択することと、
選択されたレベルの前記符号化を使用して前記第２のデジタルＭＲ信号の組を符号化することであって、前記第１の送信器が、符号化された前記第２のデジタルＭＲ信号の組を、第２の通信リンクを介して、像再現を実施する前記ＭＲＩシステムの前記コンピュータに送信する、符号化することと、
により前記符号化アルゴリズムを実施する、
請求項４に記載のデータ獲得システム。
【請求項９】
前記ＭＲＩシステムの第２のコイルにより検出されたＲＦ信号を受信する第２のＲＦ受信器であって、前記第２のＲＦ受信器により受信された前記ＲＦ信号が、前記像データを表すアナログ信号である、第２のＲＦ受信器と、
前記第２のＲＦ受信器により受信された前記ＲＦ信号を第２のデジタルＭＲ信号の組に変換して、前記第２のデジタルＭＲ信号の組を出力する第２のアナログ・デジタル変換器と、
第２のプロセッサであって、
前記第２のデジタルＭＲ信号の組を分析して前記第２のデジタルＭＲ信号の組に関係した第２の信号対ノイズ比を特定することと、
前記第２の信号対ノイズ比が前記第１の所定の閾値以上である場合、前記第２のデジタルＭＲ信号の組を符号化するために使用される、前記より高い、より高ロバストなレベルの符号化を選択することと、前記第２の信号対ノイズ比が前記第１の所定の閾値未満である場合、前記第２のデジタルＭＲ信号の組を符号化するために使用される、前記より低い、より低ロバストなレベルの符号化を選択することと、
選択されたレベルの前記符号化を使用して前記第２のデジタルＭＲ信号の組を符号化することであって、前記第１の送信器が、符号化された前記第２のデジタルＭＲ信号の組を、第２の通信リンクを介して、像再現を実施する前記ＭＲＩシステムの前記コンピュータに送信する、符号化することと、
により前記符号化アルゴリズムを実施する、第２のプロセッサと、
符号化された前記第２のデジタルＭＲ信号の組を、前記第２の通信リンクを介して、前記像再現を実施する前記ＭＲＩシステムの前記コンピュータに送信する第２の送信器と、
をさらに備える、請求項４に記載のデータ獲得システム。
【請求項１０】
前記第１の送信器と前記第２の送信器とが、符号化されたデジタルデータ信号をそれぞれのシリアルデータストリームに変換し、前記それぞれのシリアルデータストリームが前記第１の通信リンクと前記第２の通信リンクとを介して、像再現を実施する前記ＭＲＩシステムの前記コンピュータに連続的に送信されることをもたらすシリアライゼーション論理部を含む、
請求項９に記載のデータ獲得システム。
【請求項１１】
ＭＲＩシステムにおける使用のためのデータ獲得システムであって、前記データ獲得システムが、
前記ＭＲＩシステムのＮ個のＲＦ受信器であって、Ｎが１以上の正の整数であり、前記Ｎ個のＲＦ受信器が、それぞれ、Ｎ個のＲＦコイルにより検出された、Ｎ組のＲＦ信号の組を受信し、前記Ｎ組のＲＦ信号の組が、それぞれ、Ｎ組の像データの組を表すアナログ信号である、Ｎ個のＲＦ受信器と、
受信された前記Ｎ組のＲＦ信号の組をそれぞれＮ組のデジタルＭＲ信号の組にそれぞれ変換し、前記Ｎ組のデジタルＭＲ信号の組をそれぞれ出力するＰ個のアナログ・デジタル変換器であって、Ｐが１以上の正の整数である、Ｐ個のアナログ・デジタル変換器と、
少なくとも１つのプロセッサであって、前記ＭＲＩシステムのコンピュータに前記第１のデジタルＭＲ信号の組の正確さを確認するための冗長性を提供するために、通信リンクを介した前記デジタルＭＲ信号の組のそれぞれの送信中における通信リンクエラーの発生が、それぞれ、前記デジタルＭＲ信号の組のそれぞれを使用して再現される再現されたＭＲＩ像により大きな影響を与えるか、又は、より少ない影響を与えるかに関する前記プロセッサによる判定に基づいて、より高い、より高ロバストなレベルの符号化を使用して、又は、より低い、より低ロバストなレベルの符号化を使用して前記デジタルＭＲ信号の組の各々を符号化する符号化アルゴリズムを実施する少なくとも１つのプロセッサと、
符号化された前記デジタルＭＲ信号の組のそれぞれを、それぞれ、Ｍ個の通信リンクを介して、像再現を実施するために、前記ＭＲＩシステムの前記コンピュータに送信するＭ個の送信器であって、Ｍが１以上の正の整数である、Ｍ個の送信器と、
を備える、データ獲得システム。
【請求項１２】
前記データ獲得システムが、Ｎ個のプロセッサを備え、各プロセッサが、前記Ｎ組のデジタルＭＲ信号の組の１つ１つに前記符号化アルゴリズムを実施する、
請求項１１に記載のデータ獲得システム。
【請求項１３】
前記Ｎ組のデジタルＭＲ信号の組を分析することの前に、前記プロセッサが、前記Ｎ組のデジタルＭＲ信号の組に変換を実施して、前記Ｎ組のデジタルＭＲ信号の組のまばらさを高め、前記プロセッサが、変換された前記Ｎ組のデジタルＭＲ信号の組を分析して、前記デジタルＭＲ信号の組のそれぞれに関係したＮ個の信号対ノイズ比のそれぞれが所定の閾値未満であるか、又は、前記所定の閾値以上であるかを判定することにより、前記通信リンクを介した前記デジタルＭＲ信号の組のそれぞれの送信中における前記通信リンクエラーの発生が、それぞれ、前記再現されたＭＲＩ像により大きな影響を与えるか、又は、より少ない影響を与えるかに関する判定を行い、前記Ｎ個の信号対ノイズ比のうちの任意のものが前記所定の閾値未満であるという判定がなされた場合、前記デジタルＭＲ信号の組のそれぞれを符号化することにおける使用のために前記より高い、より高ロバストなレベルの符号化が選択され、前記Ｎ個の信号対ノイズ比のうちの任意のものが前記所定の閾値以上であるという判定がなされた場合、前記デジタルＭＲ信号の組のそれぞれを符号化することにおける使用のために、前記より低い、より低ロバストなレベルの符号化が選択される、
請求項１１に記載のデータ獲得システム。
【請求項１４】
前記Ｎ組のデジタルＭＲ信号の組を分析することの前に、前記プロセッサが、変換であって、前記変換中に前記Ｎ組のデジタルＭＲ信号の組が時間領域表現から周波数領域表現に変換される、変換を実施し、前記プロセッサが、変換された前記Ｎ組のデジタルＭＲ信号の組を分析して、前記デジタルＭＲ信号の組のそれぞれに関係したＮ個の信号対ノイズ比のそれぞれが所定の閾値未満であるか、又は、前記所定の閾値以上であるかを判定することにより、前記通信リンクを介した前記デジタルＭＲ信号の組のそれぞれの送信中における前記通信リンクエラーの発生が、それぞれ、前記再現されたＭＲＩ像により大きな影響を与えるか、又は、より少ない影響を与えるかに関する判定を行い、前記Ｎ個の信号対ノイズ比のうちの任意のものが前記所定の閾値未満であるという判定がなされた場合、前記デジタルＭＲ信号の組のそれぞれを符号化することにおける使用のために、前記より高い、より高ロバストなレベルの符号化が選択され、前記Ｎ個の信号対ノイズ比のうちの任意のものが前記所定の閾値以上であるという判定がなされた場合、前記デジタルＭＲ信号の組のそれぞれを符号化することにおける使用のために、前記より低い、より低ロバストなレベルの符号化が選択される、
請求項１１に記載のデータ獲得システム。
【請求項１５】
前記Ｎ組のデジタルＭＲ信号の組を分析することの前に、前記プロセッサが、変換であって、前記変換中に前記Ｎ組のデジタルＭＲ信号の組が時間領域表現からｋ空間における空間周波数領域表現に変換される、変換を実施し、前記プロセッサが、ｋ空間における前記空間周波数領域表現を分析して、前記デジタルＭＲ信号の組のそれぞれに関係したＮ個の信号対ノイズ比のそれぞれが所定の閾値未満であるか、又は、前記所定の閾値以上であるかを判定することにより、前記通信リンクを介した前記デジタルＭＲ信号の組のそれぞれの送信中における前記通信リンクエラーの発生が、それぞれ、前記再現されたＭＲＩ像により大きな影響を与えるか、又は、より少ない影響を与えるかに関する判定を行い、前記Ｎ個の信号対ノイズ比のうちの任意のものが前記所定の閾値未満であるという判定がなされた場合、前記デジタルＭＲ信号の組のそれぞれを符号化することにおける使用のために、前記より高い、より高ロバストなレベルの符号化が選択され、前記Ｎ個の信号対ノイズ比のうちの任意のものが前記所定の閾値以上であるという判定がなされた場合、前記デジタルＭＲ信号の組のそれぞれを符号化することにおける使用のために、前記より低い、より低ロバストなレベルの符号化が選択される、
請求項１１に記載のデータ獲得システム。